(57)【要約】【課題】少ない数の電源で、増幅器の効率化を実現することが可能な電力増幅装置を提供する。【解決手段】電力増幅器１１は、可変電源１２−１，１２−２からの出力電圧により駆動され、入力信号を増幅して出力する。制御部１３は、可変電源１２−１，１２−２からの出力電圧の導出を所定の周期で順次切り替える。そして、導出が切断されて無負荷状態となった可変電源の電圧値を、検波部１５からの検波信号に基づいて先回りして変化させる。【選択図】      図１
2010068481.tif 000002
【特許請求の範囲】
【請求項１】
電源供給端子から供給される電圧により駆動され、入力信号を増幅して出力する電力増幅器と、
前記入力信号を検波して、当該入力信号のエンベロープ検波信号を出力する検波部と、
少なくとも１個の可変電源を含む複数の電源と、
前記複数の電源それぞれから出力される出力電圧を受け取り、少なくとも１つの出力電圧を前記電源供給端子に導出する導出部と、
前記導出部から少なくとも次に導出される出力電圧の電源の電圧値を前記エンベロープ検波信号の推移に応じた先の値に変更し、前記導出部から導出される出力電圧を前記エンベロープ検波信号の電圧値に応じた電圧値の出力電圧に切り替える制御部と
を具備することを特徴とする電力増幅装置。
【請求項２】
前記制御部は、前記導出部から導出される出力電圧を予め設定された順序で切り替えることを特徴とする請求項１記載の電力増幅装置。
【請求項３】
前記制御部は、前記導出部から導出される出力電圧を切り替えてから予め設定された時間が経過した場合、他の出力電圧の導出に切り替えることを特徴とする請求項１記載の電力増幅装置。
【請求項４】
前記制御部は、前記変更した電圧値に応じて前記エンベロープ検波信号の電圧値の電圧範囲を決定し、前記検波部からのエンベロープ検波信号が前記電圧範囲に入った場合、前記電圧値を変更した電源からの出力電圧に導出を切り替えることを特徴とする請求項１記載の電力増幅装置。
【請求項５】
前記複数の電源は、カスケードに接続されることを特徴とする請求項１記載の電力増幅装置。
【請求項６】
前記電力増幅器に入力される入力信号の位相を変化させる可変位相部をさらに備え、
前記制御部は、前記導出する出力電圧の切り替えによる前記電力増幅器の信号通過位相の変化を前記可変位相部により補償することを特徴とする請求項１記載の電力増幅装置。
【請求項７】
前記電力増幅器に入力される入力信号の変位を変化させる可変減衰部をさらに備え、
前記制御部は、前記導出する出力電圧の切り替えによる前記電力増幅器の信号通過利得の変化を前記可変減衰部により補償することを特徴とする請求項１記載の電力増幅装置。
【請求項８】
前記複数の電源は、出力電圧の電圧値が固定された固定電源をさらに含むことを特徴とする請求項１記載の電力増幅装置。
【請求項９】
前記電力増幅器は、複数の前記電源供給端子を備え、
前記複数の電源は、前記複数の電源供給端子それぞれに前記導出部を介して接続されることを特徴とする請求項１記載の電力増幅装置。
【請求項１０】
電源供給端子から供給される電圧により駆動され、入力信号を増幅して出力する電力増幅器と、
前記入力信号を検波して、当該入力信号のエンベロープ検波信号を出力する検波部と、
出力電圧を前記電源供給端子に出力する少なくとも１つの可変電源と、
互いに異なる電圧値で蓄電された複数の蓄電部と、
前記複数の蓄電部のうち少なくともいずれかに接続を切り替える切替部と、
前記エンベロープ検波信号に基づいて前記可変電源の出力電圧の電圧値を変化させると共に、前記切替部に前記蓄電部のうち前記出力電圧の電圧値と同一の電圧を蓄電する蓄電部へ接続を切り替えさせる制御部と
を具備することを特徴とする電力増幅装置。
【発明の詳細な説明】
【技術分野】
【０００１】
本発明は、ＣＤＭＡ（Code Division Multiple Access）やＯＦＤＭ（Orthogonal Frequency Division Multiplex）等のマイクロ波通信に用いられる電力増幅装置に関する。
【背景技術】
【０００２】
無線装置等の増幅器を効率的に運用する手法として、エンベロープトラッキングがある。このエンベロープトラッキングを実現するには、増幅器の入力信号の電力エンベロープを検波し、増幅器を駆動させる供給電圧をそのエンベロープ信号に追従させて変化させる必要がある（例えば、特許文献１乃至３参照）。
【０００３】
一般に、負荷を繋いだままの状態で供給電圧を高速に変化させるのは単一の電源では困難である。そのため、従来では、異なる電圧値の固定電源を複数設置し、それらの出力をスイッチにより切り替えることで、増幅器への供給電圧を変化させている。このとき、固定電源の数が多いほど増幅器の効率は改善されることとなる。しかしながら、増幅器の効率をさらに改善しようとすると、多くの固定電源が必要となり、回路規模が大きくなってしまうというデメリットが生じる。
【特許文献１】特開２００４−２８２１５９号公報
【特許文献２】特開平６−４５８５６号公報
【特許文献３】特開平５−２６７９４１号公報
【発明の開示】
【発明が解決しようとする課題】
【０００４】
以上のように、エンベロープトラッキングを実行する際に、増幅器の効率をさらに改善しようとすると、多くの固定電源が必要となり、回路規模が大きくなってしまうという問題があった。
【０００５】
そこで、本発明の目的は、エンベロープトラッキングを実行する際、少ない数の電源で、増幅器の効率化を実現することが可能な電力増幅装置を提供することにある。
【課題を解決するための手段】
【０００６】
上記目的を達成するため、本発明に係る電力増幅装置は、電源供給端子から供給される電圧により駆動され、入力信号を増幅して出力する電力増幅器と、前記入力信号を検波して、当該入力信号のエンベロープ検波信号を出力する検波部と、少なくとも１個の可変電源を含む複数の電源と、前記複数の電源それぞれから出力される出力電圧を受け取り、少なくとも１つの出力電圧を前記電源供給端子に導出する導出部と、前記導出部から少なくとも次に導出される出力電圧の電源の電圧値を前記エンベロープ検波信号の推移に応じた先の値に変更し、前記導出部から導出される出力電圧を前記エンベロープ検波信号の電圧値に応じた電圧値の出力電圧に切り替える制御部とを具備する。
【０００７】
上記構成による電力増幅装置は、複数の電源からそれぞれ出力される出力電圧の導出をエンベロープ検波信号に応じて順次切り替える。そして、電力増幅装置は、導出が切断されて無負荷状態となった可変電源の電圧値を、エンベロープ検波信号の推移に応じた先の値に変更するようにしている。これにより、切断されている可変電源の電圧値を次の値に高速で変化させることが可能となる。したがって、可変電源が少数である場合であっても、多数の電圧ステップを供給することが可能となる。
【発明の効果】
【０００８】
本発明によれば、エンベロープトラッキングを実行する際、少ない数の電源で、増幅器の効率化を実現することが可能な電力増幅装置を提供することができる。
【発明を実施するための最良の形態】
【０００９】
以下、図面を参照しながら本発明に係る電力増幅装置の実施の形態について詳細に説明する。
【００１０】
（第１の実施形態）  
図１は、本発明の第１の実施形態に係る電力増幅装置の機能構成を示すブロック図である。図１において、電力増幅器１１は、可変電源１２−１，１２−２からの出力電圧を電源供給端子で受け取る。電力増幅器１１は、この出力電圧により駆動され、入力信号を増幅して出力する。
【００１１】
上記可変電源１２−１，１２−２は、制御部１３によりその電圧値を制御される。可変電源１２−１，１２−２から出力された出力電圧は、切替部１４によりいずれか一方に切り替えられ、電力増幅器１１へ導出される。
【００１２】
検波部１５は、入力信号からこの入力信号のエンベロープ検波信号を検波し、制御部１３へ供給する。  
制御部１３は、検波信号を受け取り、この検波信号に基づいて可変電源１２−１，１２−２の電圧値を変化させることで、可変電源１２−１，１２−２から出力される出力電圧の電圧値を制御する。また、制御部１３は、検波信号に応じて切替部１４を切替制御し、電力増幅器１１へ導出される出力電圧を切り替える。
【００１３】
次に、上記構成の電力増幅装置における制御部１３の動作を説明する。図２は、本発明の第１の実施形態に係る制御部１３の出力電圧の切替動作を示すフローチャートである。また、図３は、可変電源１２−１，１２−２から出力され、電力増幅器１１へ導出される出力電圧を示す模式図である。
【００１４】
まず、制御部１３は、検波部１５からの検波信号に基づいて可変電源１２−１の電圧値をＡ１に、可変電源１２−２の電圧値をＡ２に決定する（ステップ２ａ）。電圧値を決定すると、制御部１３は、可変電源１２−１からの出力電圧を導出するよう切替部１４を切り替える（ステップ２ｂ）。
【００１５】
続いて、制御部１３は、予め設定した時間が経過したか否かを判定する（ステップ２ｃ）。予め設定した時間が経過した場合（ステップ２ｃのＹｅｓ）、切替部１４を切り替えて、可変電源１２−２からの電圧値Ａ２の出力電圧を導出させる（ステップ２ｄ）。このとき、制御部１３は、検波信号に基づいて次の電圧値Ａ３を決定し、可変電源１２−１の電圧値をＡ３と同一又は近接した値に変化させる。
【００１６】
そして、制御部１３は、処理を終了する旨の指示があるか否かを判定し（ステップ２ｅ）、指示がある場合（ステップ２ｅのＹｅｓ）、処理を終了する。指示がない場合、処理をステップ２ｃに移行する。
【００１７】
処理を終了しない場合、制御部１３は、ステップ２ｃで所定の時間が経過すると、ステップ２ｄで切替部１４を切り替え、可変電源１２−１からの電圧値Ａ３の出力電圧を導出させる。また、制御部１３は、ステップ２ｄにおいて、検波信号に基づいて電圧値Ａ４を決定し、可変電源１２−２の電圧値をＡ４に変化させる。制御部１３は、ステップ２ｃ〜ステップ２ｅの処理を繰り返し、図３に示される出力電圧を電力増幅器１１へ供給する。
【００１８】
以上のように、上記第１の実施形態では、可変電源１２−１，１２−２の接続を順次切り替え、接続が切断されて無負荷状態になった可変電源の電圧値を検波信号に基づいて次の電圧値に変化させるようにしている。可変電源は、無負荷状態である際には、高速に電圧値を変化させることが可能である。これにより、二つの可変電源を用いて、多数の電圧ステップを供給することが可能となる。
【００１９】
したがって、第１の実施形態の電力増幅装置は、エンベロープトラッキングを実行する際、少ない数の電源で、増幅器の効率化を実現することができる。
【００２０】
なお、本発明に係る電力増幅装置は、図４に示すように、電力増幅器１１の前段に可変位相部１６を備えることも可能である。可変位相部１６は、入力信号の位相を変化させる。制御部１３は、切替部１４を切り替えると可変位相部１６を制御する。
【００２１】
これにより、電力増幅装置は、可変電源１２−１，１２−２の切り替えによる電力増幅器１１の信号通過位相の変化を可変位相部１６により補償することが可能となる。
【００２２】
また、本発明に係る電力増幅装置は、図５に示すように、電力増幅器１１の前段に可変減衰部１７を備えることも可能である。可変減衰部１７は、入力信号の変位を変化させる。制御部１３は、切替部１４を切り替えると可変減衰部１７を制御する。
【００２３】
これにより、電力増幅装置は、可変電源１２−１，１２−２の切り替えによる電力増幅器１１の信号通過利得の変化を可変減衰部１７により補償することが可能となる。
【００２４】
また、本発明に係る電力増幅装置は、図６に示すように、可変電源１２−１，１２−２をそれぞれ別の経路で電力増幅器１１に接続することが可能である。このとき、電力増幅器１１は、電源供給端子を２つ備え、これらの電源供給端子に可変電源１２−１，１２−２がそれぞれ接続されている。電力増幅器１１と可変電源１２−１，１２−２とをつなぐ経路にはそれぞれスイッチ１８−１，１８−２が設置されている。このスイッチ１８−１，１８−２は、制御部１３の制御によりオン／オフされる。
【００２５】
これにより、電力増幅器１１と可変電源１２−１，１２−２とが最短配線され、可変電源１２−１，１２−２の切り替えにより発生するリンギングを小さく抑えることが可能となる。
【００２６】
（第２の実施形態）  
図７は、本発明の第２の実施形態に係る電力増幅装置の機能構成を示すブロック図である。図７において、電力増幅器１１は、可変電源１２−１又は固定電源１９からの出力電圧を電源供給端子で受け取る。電力増幅器１１は、この出力電圧により駆動され、入力信号を増幅して出力する。
【００２７】
制御部１３は、検波部１５から検波信号を受け取り、この検波信号に応じて切替部１４を切替制御し、可変電源１２−１又は固定電源１９からの出力電圧を電力増幅器１１へ導出する。
【００２８】
次に、上記構成の電力増幅装置における制御部１３の動作を説明する。図８は、本発明の第２の実施形態に係る制御部１３の出力電圧の切替動作を示すフローチャートである。また、図９は、可変電源１２−１及び固定電源１９から出力され、電力増幅器１１へ導出される出力電圧を示す模式図である。
【００２９】
まず、制御部１３は、検波部１５からの検波信号に基づいて可変電源１２−１の電圧値をＢ１に決定する（ステップ８ａ）。このとき、固定電源１９の電圧値はＢ２に固定されている。電圧値を決定すると、制御部１３は、可変電源１２−１からの出力電圧を導出するよう切替部１４を切り替える（ステップ８ｂ）。
【００３０】
続いて、制御部１３は、予め設定した時間が経過したか否かを判定する（ステップ８ｃ）。予め設定した時間が経過した場合（ステップ８ｃのＹｅｓ）、切替部１４を切り替えて、固定電源１９からの出力電圧を導出させると共に、検波信号に基づいて決定した次の電圧値Ｂ３に可変電源１２−１の電圧値を変化させる（ステップ８ｄ）。
【００３１】
そして、制御部１３は、処理を終了する旨の指示があるか否かを判定し（ステップ８ｅ）、指示がある場合（ステップ８ｅのＹｅｓ）、処理を終了する。指示がない場合、処理をステップ８ｃに移行する。
【００３２】
制御部１３は、ステップ８ｃで所定時間が経過すると、ステップ２ｄで切替部１４を切り替え、可変電源１２−１からの電圧値Ｂ３の出力電圧を導出させる。制御部１３は、ステップ８ｃ〜８ｅの処理を繰り返し、図９に示される出力電圧を電力増幅器１１に供給する。
【００３３】
以上のように、上記第２の実施形態では、可変電源１２−１と固定電源１９とを順次切り替え、接続が固定電源１９に切り替えられた際に可変電源１２−１の電圧値を検波信号に基づいて次の電圧値に変化させるようにしている。これにより、可変電源及び固定電源がそれぞれ一つずつ設置される場合であっても、多数の電圧ステップを電力増幅器１１に供給することが可能となる。
【００３４】
したがって、第２の実施形態の電力増幅装置は、エンベロープトラッキングを実行する際、電源の数が少なくとも、増幅器の効率化を実現することができる。
【００３５】
（第３の実施形態）  
図１０は、本発明の第３の実施形態に係る電力増幅装置の機能構成を示すブロック図である。図１０において、電力増幅器１１は、可変電源１２−１〜１２−３からの出力電圧を電源供給端子で受け取る。電力増幅器１１は、この出力電圧により駆動され、入力信号を増幅して出力する。
【００３６】
制御部１３は、検波部１５から検波信号を受け取り、この検波信号に基づいて可変電源１２−１〜１２−３の電圧値を変化させることで、可変電源１２−１〜１２−３から出力される出力電圧の電圧値を制御する。また、制御部１３は、検波信号に応じて切替部１４を切替制御し、可変電源１２−１〜１２−３との接続を可変電源１２−１、可変電源１２−２、可変電源１２−３の順序で切り替える。
【００３７】
次に、上記構成の電力増幅装置における制御部１３の動作を説明する。図１１は、本発明の第３の実施形態に係る制御部１３の出力電圧の切替動作を示すフローチャートである。また、図１２は、可変電源１２−１〜１２−３から出力され、電力増幅器１１へ導出される出力電圧を示す模式図である。
【００３８】
まず、制御部１３は、検波部１５からの検波信号に基づいて可変電源１２−１〜１２−３の電圧値Ｃ１〜Ｃ３を決定する（ステップ１１ａ）。電圧値を決定すると、制御部１３は、可変電源１２−１からの出力電圧を導出するよう切替部１４を切り替える（ステップ１１ｂ）。
【００３９】
続いて、制御部１３は、予め設定した時間が経過したか否かを判定する（ステップ１１ｃ）。予め設定した時間が経過した場合（ステップ１１ｃのＹｅｓ）、切替部１４を切り替えて、可変電源１２−２からの電圧値Ｃ２の出力電圧を導出させる（ステップ１１ｄ）。このとき、制御部１３は、検波信号に基づいて続きの電圧値Ｃ４を決定し、可変電源１２−１の電圧値をＣ４と同一又は近接した値に変化させる。
【００４０】
そして、制御部１３は、処理を終了する旨の指示があるか否かを判定し（ステップ１１ｅ）、指示がある場合（ステップ１１ｅのＹｅｓ）、処理を終了する。指示がない場合、処理をステップ１１ｃに移行する。
【００４１】
処理を終了しない場合、制御部１３は、ステップ１１ｃで所定の時間が経過すると、ステップ１１ｄで切替部１４を切り替え、可変電源１２−３からの電圧値Ｃ３の出力電圧を導出させる。また、制御部１３は、ステップ１１ｄにおいて、検波信号に基づいて電圧値Ｃ５を決定し、可変電源１２−２の電圧値をＣ５に変化させる。
【００４２】
続いて、制御部１３は、ステップ１１ｃで所定の時間が経過すると、ステップ１１ｄで切替部１４を切り替え、可変電源１２−１からの電圧値Ｃ４の出力電圧を導出させる。また、制御部１３は、ステップ１１ｄにおいて、検波信号に基づいて電圧値Ｃ４を決定し、可変電源１２−３の電圧値をＣ４に変化させる。
【００４３】
制御部１３は、ステップ１１ｃ〜ステップ１１ｅの処理を繰り返し、図１２に示される出力電圧を電力増幅器１１へ供給する。
【００４４】
以上のように、上記第３の実施形態では、可変電源１２−１〜１２−３の接続を所定の順番で順次切り替え、接続が切断されて無負荷状態になった可変電源の電圧値を検波信号に基づいて次の電圧値に変化させるようにしている。これにより、三つの可変電源を用いて、多数の電圧ステップを供給することが可能となる。また、上記第１の実施形態と比較して出力電圧の切り替え周期を短縮することが可能となる。
【００４５】
したがって、第３の実施形態の電力増幅装置は、エンベロープトラッキングを実行する際、少ない数の電源で、増幅器の効率化を実現することができる。
【００４６】
なお、上記実施形態では、可変電源１２−１〜１２−３を切り替える順序が予め設定されている例について説明したが、この順序が設定されていない場合であっても本発明は実施可能である。このとき、制御部１３は、可変電源１２−１〜１２−３の電圧値を任意に決定する。そして、制御部１３は、検波部１５からの検波信号に応じて次に切り替える電圧値に近い出力状態の可変電源を選択し、切替部１４によりその可変電源に接続を切り替える。
【００４７】
図１３は、可変電源１２−１〜１２−３を切り替える順序が任意である場合の出力電圧の切替動作を示すフローチャートである。図１４は、可変電源１２−１〜１２−３から出力され、電力増幅器１１へ導出される出力電圧を示す模式図である。
【００４８】
まず、制御部１３は、可変電源１２−１〜１２−３の電圧値Ｄ１〜Ｄ３を任意に決定する（ステップ１３ａ）。電圧値を決定すると、制御部１３は、可変電源１２−１からの出力電圧を導出するよう切替部１４を切り替える（ステップ１３ｂ）。
【００４９】
続いて、制御部１３は、予め設定した時間が経過したか否かを判定する（ステップ１３ｃ）。予め設定した時間が経過した場合（ステップ１３ｃのＹｅｓ）、次に切り替える電圧値に近い出力状態の可変電源１２−２（電圧値Ｄ２）を選択し、切替部１４により可変電源１２−２に接続を切り替える（ステップ１３ｄ）。このとき、制御部１３は、可変電源１２−１の電圧値を任意に電圧値Ｄ４に変化させる。
【００５０】
そして、制御部１３は、処理を終了する旨の指示があるか否かを判定し（ステップ１３ｅ）、指示がある場合（ステップ１３ｅのＹｅｓ）、処理を終了する。指示がない場合、処理をステップ１３ｃに移行する。
【００５１】
処理を終了しない場合、制御部１３は、ステップ１３ｃで所定の時間が経過すると、ステップ１３ｄで次に切り替える電圧値に近い出力状態の可変電源１２−３（電圧値Ｄ３）を選択し、切替部１４により可変電源１２−３に接続を切り替える。また、制御部１３は、ステップ１３ｄにおいて、可変電源１２−２の電圧値を任意にＤ５に変化させる。
【００５２】
制御部１３は、ステップ１３ｃ〜ステップ１３ｅの処理を繰り返し、図１４に示される出力電圧を電力増幅器１１へ供給する。
【００５３】
これにより、上記第１の実施形態と比較して出力電圧の切り替え周期を短縮することが可能となる。また、検波信号の変化に精度良く追従することが可能となる。
【００５４】
（第４の実施形態）  
図１５は、本発明の第４の実施形態に係る電力増幅装置の機能構成を示すブロック図である。図１５において、電力増幅器１１は、可変電源１２−１〜１２−３からの出力電圧を電源供給端子で受け取る。電力増幅器１１は、この出力電圧により駆動され、入力信号を増幅して出力する。
【００５５】
可変電源１２−１〜１２−３はカスケードに接続されている。可変電源１２−３からは、可変電源１２−３の電圧値の出力電圧が出力される。可変電源１２−２からは、可変電源１２−３の電圧値に可変電源１２−２の電圧値を加えた電圧値の出力電圧が出力される。可変電源１２−１からは、可変電源１２−３の電圧値に可変電源１２−２の電圧値と可変電源１２−１の電圧値とを加えた電圧値の出力電圧が出力される。
【００５６】
制御部１３は、検波部１５から検波信号を受け取り、この検波信号に基づいて可変電源１２−１〜１２−３の電圧値を変化させることで、可変電源１２−１〜１２−３から出力される出力電圧の電圧値を制御する。また、制御部１３は、検波信号に応じて切替部１４を切替制御し、可変電源１２−１、可変電源１２−２、可変電源１２−３を任意の順序で接続を切り替える。
【００５７】
以上のように、上記第４の実施形態では、可変電源１２−１〜１２−３の接続を任意の順次切り替え、接続が切断されて無負荷状態になった可変電源の電圧値を検波信号に基づいて次の電圧値に変化させるようにしている。例えば、可変電源１２−２が接続されている場合には、可変電源１２−１が無付加状態となるため、可変電源１２−１の電圧値を検波信号に基づいて変化させる。これにより、三つの可変電源を用いて、高速に多数の電圧ステップを供給することが可能となる。
【００５８】
したがって、第４の実施形態の電力増幅装置は、エンベロープトラッキングを実行する際、少ない数の電源で、増幅器の効率化を実現することができる。
【００５９】
（第５の実施形態）  
図１６は、本発明の第５の実施形態に係る電力増幅装置の機能構成を示すブロック図である。図１６において、電力増幅器１１は、可変電源１２−１，１２−２からの出力電圧を電源供給端子で受け取る。電力増幅器１１は、この出力電圧により駆動され、入力信号を増幅して出力する。
【００６０】
可変電源１２−１，１２−２から電力増幅器１１までの経路には、バッテリ１１０−１〜１１０−３が切替部１４を介して接続されている。
【００６１】
バッテリ１１０−１〜１１０−３は、それぞれ異なる電圧値でチャージされている。  
制御部１３は、検波部１５から検波信号を受け取り、この検波信号に基づいて可変電源１２−１，１２−２の電圧値を変化させることで、可変電源１２−１，１２−２から出力される出力電圧の電圧値を制御する。制御部１３は、検波信号に応じて切替部１４−１を切替制御し、電力増幅器１１へ導出される出力電圧を切り替える。また、制御部１３は、切替部１４−１により導出される出力電圧の電圧値に応じて切替部１４−２を切替制御し、バッテリ１１０−１〜１１０−３のいずれかを放電させる。このとき、導出される出力電圧の電圧値と放電するバッテリの電圧値とは同一となっている。なお、バッテリの放電は切り替え直後のみある。バッテリは、放電が終わった後は、電力増幅器へ供給される出力電圧により充電を行う。
【００６２】
これにより、可変電源の電圧値を変更する際に可変電源の電圧値が設定電圧に安定するまでの電圧変動及び、出力電圧切替直後の瞬時的な突入電流による電流供給不足をバッテリが補うことができるため、上記第１の実施形態と比較して電力増幅器１１への可変電源の電圧値の切替周期をさらに短縮することが可能になる。
【００６３】
（その他の実施形態）  
なお、本発明は上記各実施形態に限定されるものではない。例えば、上記各実施形態では、接続を切り替えてから所定の時間が経過すると、接続を他に切り替える例について説明したが、この切り替え方法に限定されるわけではない。例えば、制御部１３が、可変電源の電圧値を決定すると共に、その可変電源に接続を切り替えるための検波信号の電圧値の範囲を決定するとする。そして、検波部１５からの検波信号の電圧値がその範囲に入った場合、接続されている可変電源を切り替えるようにしてもよい。なお、可変電源が複数ある場合には、各可変電源で決定される電圧値に応じた検波信号の電圧範囲を決定するようにすれば、各可変電源に接続を順次切り替えることが可能となる。
【００６４】
さらに、本発明の実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６５】
【図１】本発明の第１の実施形態に係る電力増幅装置の機能構成を示すブロック図である。
【図２】図１の制御部の出力電圧の切替動作を示すフローチャートである。
【図３】図１の可変電源から出力され、電力増幅器へ導出される出力電圧を示す模式図である。
【図４】図１の電力増幅装置の機能構成の変形例を示すブロック図である。
【図５】図１の電力増幅装置の機能構成の変形例を示すブロック図である。
【図６】図１の電力増幅器に対する可変電源の接続例を示す模式図である。
【図７】本発明の第２の実施形態に係る電力増幅装置の機能構成を示すブロック図である。
【図８】図７の制御部の出力電圧の切替動作を示すフローチャートである。
【図９】図７の可変電源及び固定電源から出力され、電力増幅器へ導出される出力電圧を示す模式図である。
【図１０】本発明の第３の実施形態に係る電力増幅装置の機能構成を示すブロック図である。
【図１１】図１０の制御部の出力電圧の切替動作を示すフローチャートである。
【図１２】図１０の可変電源から出力され、電力増幅器へ導出される出力電圧を示す模式図である。
【図１３】図１０の制御部の出力電圧の切替動作を示すフローチャートである。
【図１４】図１０の可変電源から出力され、電力増幅器へ導出される出力電圧を示す模式図である。
【図１５】本発明の第４の実施形態に係る電力増幅装置の機能構成を示すブロック図である。
【図１６】本発明の第５の実施形態に係る電力増幅装置の機能構成を示すブロック図である。
【符号の説明】
【００６６】
１１…電力増幅器
１２−１，１２−２，１２−３…可変電源
１３…制御部
１４，１４−１，１４−２…切替部
１５…検波部
１６…可変位相部
１７…可変減衰部
１８−１，１８−２…スイッチ
１９…固定電源
１１０−１，１１０−２，１１０−３…バッテリ
【図１】
2010068481.tif 000003
【図２】
2010068481.tif 000004
【図３】
2010068481.tif 000005
【図４】
2010068481.tif 000006
【図５】
2010068481.tif 000007
【図６】
2010068481.tif 000008
【図７】
2010068481.tif 000009
【図８】
2010068481.tif 000010
【図９】
2010068481.tif 000011
【図１０】
2010068481.tif 000012
【図１１】
2010068481.tif 000013
【図１２】
2010068481.tif 000014
【図１３】
2010068481.tif 000015
【図１４】
2010068481.tif 000016
【図１５】
2010068481.tif 000017
【図１６】
2010068481.tif 000018